(57)【要約】      （修正有）【課題】日本髪のかつらを分割して使用者に直接取り付けるようにすることで、安価でかつ装着部材なしに着用できる分割型日本髪かつらを提供する。【解決手段】分割型日本髪かつらは、日本髪の形状を有する髪材からなる日本髪かつらを右ビン、左ビン２、前髪３、ツト４及びマゲ５に分割した複数の部分かつらとし、右ビン、左ビン２、前髪３の裏面に、所定厚さの緩衝材を積層し、基端部に突出部材と当て部とからなる第一取付具を有し、これが髪材、緩衝材と、少なくとも相互に固定されている。右ビン、左ビン２、前髪３、ツト４の髪材の長さは、着用時に各第二取付具がマゲ５を取り付ける位置までの長さである。【選択図】図１
0003166995.tif 000002
【実用新案登録請求の範囲】
【請求項１】
日本髪の形状を有する髪材からなる日本髪かつらを分割した複数の部分かつらを有し、各部分かつらにはそれらを使用者の頭髪に直接取り付けるための取付具を有することを特徴とする分割型日本髪かつら。
【請求項２】
部分かつらは、右ビン、左ビン、前髪、ツト及びマゲからなり、
前記右ビン、左ビン、前髪の裏面に、所定厚さの緩衝材を積層し、
前記右ビン、左ビン、前髪の髪材と前記緩衝材との積層状態で、着用時に髪材を反り返してなびかせる方向の基端部に、第一取付具を固定することを特徴とする請求項１に記載の分割型日本髪かつら。
【請求項３】
右ビン、左ビン、前髪における第一取付具は、複数の突出片からなる突出部材と、当て部とからなり、
突出部材は、髪材をなびかせる方向と同方向に突出するようにし、
当て部は、右ビン、左ビン、前髪の髪材をなびかせる方向の基端部において、髪材、緩衝材、突出部材、当て部が少なくとも相互に固定されていることを特徴とする請求項２に記載の分割型日本髪かつら。
【請求項４】
右ビン、左ビンに積層した緩衝材の裏面に、ビンの形状を保持する線状保持材を配置したことを特徴とする請求項２または３のいずれかに記載の分割型日本髪かつら。
【請求項５】
部分かつらは、右ビン、左ビン、前髪、ツト、マゲからなり、
右ビン、左ビン、前髪及びツトにおける取付具は、第一取付具と第二取付具からなり、
右ビン、左ビン、前髪における髪材は、着用時に髪材を反り返してなびかせる方向の基端部に第一取付具、もう一方の端部に第二取付具を有し、
ツトは髪材の裏面に第一取付具、着用時に髪材を反り返してなびかせる方向の基端部ともう一方端に第二取付具を有し、
右ビン、左ビン、前髪、ツトの髪材の長さは、着用時に各第二取付具がマゲを取り付ける位置までの長さであることを特徴とする請求項１、２、３または４のいずれかに記載の分割型日本髪かつら。
【考案の詳細な説明】
【技術分野】
【０００１】
本考案は、日本髪の形態をした分割型かつらであって、直接使用者の頭髪に取り付けるものに関する。
【背景技術】
【０００２】
従来、日本髪のかつらは、頭部を全て包み込む金属製のヘルメット状の装着部材に日本髪の形態をしたかつらが固定されたものであった。したがって、使用者は装着部材ごとかつらをかぶらざるを得なかった。
【０００３】
また、装着部材に日本髪の形態をしたかつらが固定されていると、ビンの大きさを変えるなど日本髪の形態を変えるに当たっては、その一部の形状を変えたかつらを別個に作る必要があるため、そのかつらを複数に分割し、それぞれを装着部材に着脱可能にしたものも提案されている。
【考案の概要】
【考案が解決しようとする課題】
【０００４】
装着部材にかつらが固定されていると、使用者は装着部材ごとかぶれば自らの髪を結わなくても、日本髪とすることができる。しかし、装着部材を使用者の頭の形状に合わすために、オーダーメイドによる制作となるため、製造費が高額となっていた。また、装着部材は一般的に重く、軽い素材にしたり、形状を頂頭部、前頭部と後頭部とを覆うベルト状のヘッドギア型にする等して、軽量化が図られてきたが、更なる軽量化が求められてきた。
また、装着部材に日本髪かつらを分割したものも存在して取り付けることができるものも提案されているが、この場合も、装着部材を前提とするので、製造費が高額となり、更なる軽量化が図られたものではなかった。
【０００５】
また、分割型のかつらとしては主として女性が着用する部分かつらが存在するが、日本髪の形状とするには、日本髪の前頭部、側頭部の最前位置の生え際に形成される反り返し部を形成する必要がある。しかしながら、このような反り返し部を形成し得る部分かつらは従来存在しなかった。
【課題を解決するための手段】
【０００６】
そこで、本考案の分割型日本髪かつらは、日本髪の形状を有する髪材からなる日本髪かつらを分割した複数の部分かつらを有し、各部分かつらにはそれらを使用者の頭髪に直接取り付けるための取付具を有することを特徴とするものである。
【０００７】
また、部分かつらは、右ビン、左ビン、前髪、ツト及びマゲからなり、前記右ビン、左ビン、前髪の裏面に、所定厚さの緩衝材を積層し、前記右ビン、左ビン、前髪の髪材と前記緩衝材との積層状態で、着用時に髪材を反り返してなびかせる方向の基端部に、第一取付具を固定することが好ましい。
【０００８】
また、右ビン、左ビン、前髪における第一取付具は、複数の突出片からなる突出部材と、当て部とからなり、突出部材は、髪材をなびかせる方向と同方向に突出するようにし、当て部は、右ビン、左ビン、前髪の髪材をなびかせる方向の基端部において、髪材、緩衝材、突出部材、当て部が少なくとも相互に固定されていることが好ましい。
【０００９】
また、右ビン、左ビンに積層した緩衝材の裏面に、ビンの形状を保持する線状保持材を配置したことが好ましい。
【００１０】
また、部分かつらは、右ビン、左ビン、前髪、ツト、マゲからなり、右ビン、左ビン、前髪及びツトにおける取付具は、第一取付具と第二取付具からなり、右ビン、左ビン、前髪における髪材は、着用時に髪材を反り返してなびかせる方向の基端部に第一取付具、もう一方の端部に第二取付具を有し、ツトは髪材の裏面に第一取付具、着用時に髪材を反り返してなびかせる方向の基端部ともう一方端に第二取付具を有し、右ビン、左ビン、前髪、ツトの髪材の長さは、着用時に各第二取付具がマゲを取り付ける位置までの長さであることが好ましい。
【考案の効果】
【００１１】
請求項１の考案によれば、日本髪のかつらを分割して、使用者の頭髪に直接取り付けることができる。従来の日本髪のかつらは装着部材に取り付けられており、その装着部材の重量が重く、しかも高価であった。これに対して、本考案の分割型日本髪かつらは装着部材を用いないので、簡易な日本髪かつらを提供することができる。
【００１２】
請求項２の考案によれば、日本髪の特徴である右ビン、左ビン、前髪、ツト、マゲに分割することで、製造過程が容易となる。
また、髪材に緩衝材が積層されることで、単に髪材を取り付けるよりも、ボリュームのある日本髪とすることができる。
【００１３】
請求項３の考案によれば、突出部材を使用者の頭髪の生え際付近に差し込むことで、右ビン、左ビン、前髪の着用が容易となる。
しかも、第一取付具の突出部材は基端部で髪材、緩衝材、当て部と相互に固定されており、着用時に第一取付具を１８０度折り畳んだ場合に、当て部により一定の折り畳み長さを保持することができ、日本髪に必要な反り返し部を形成することができる。
【００１４】
請求項４の考案によれば、線材で右ビン、左ビンの形状を簡単な方法で保持することができるとともに、従来の装着部材を用いずに軽量化することができ、製造費を安く抑えることが可能になる。
【００１５】
請求項５の考案によれば、第二取付具によって右ビン、左ビン、前髪、ツトをしっかりと使用者の頭髪に取り付けることができ、マゲを取り付けることで、使用したときに、第二取付具を隠すことでき、外観上からも日本髪をかつらによって結っていることを判別し難くすることができる。
【図面の簡単な説明】
【００１６】
【図１】図１は、本考案の分割型日本髪かつらを分割し、分割された各部分である左ビン、前髪、ツト、マゲを取り外した状態で示す側面図である。
【図２】図２は、左ビンを示す正面図である。
【図３】図３は、左ビンを示す背面図である。
【図４】図４は、前髪を示す正面図である。
【図５】図５は、前髪を示す背面図である。
【図６】図６は、ツトを示す正面図である。
【図７】図７は、ツトを示す背面図であって、一部切り欠いた状態を示す。
【図８】図８は、マゲを示す斜視図である。
【図９】図９は、マゲの裏面を示す斜視図である。
【図１０】図１０は、左ビンの第一取付具の取り付け状態の第一実施例を示す図１のＡ−Ａ線一部拡大断面図である。
【図１１】図１１は、左ビンの第一取付具の取り付け状態の第二実施例を示す図１のＡ−Ａ線一部拡大断面図である。
【考案を実施するための形態】
【００１７】
本考案の実施の一例を示すため、図面に沿って説明する。
図１に示すように、使用者１の頭部に着用される日本髪かつらを、右側頭部にあたる右ビン、左側頭部にあたる左ビン２、前頭部にあたる前髪３、後頭部にあたるツト４、頂頭部に位置するマゲ５に分割し、個別に着脱自在にしたものである。なお、右ビンは左ビン２と対称形であり、取付位置も左ビンと対称の位置に取り付けられるものであるため、図示を省略する。
従来は、使用者の頭部をヘルメット状に覆う装着部材に日本髪かつらを装着していたが、本実施例の日本髪かつらは装着部材を用いることなく、直接使用者の頭部に着用するものである。
【００１８】
図２に示すように、左ビン２は、図面上中央の髪材１３と、図面上髪材１３の左端である基端部に第一取付具１１、図面上左端であって髪材１３をなびかせる方向の反対側の端部に第二取付具１２とを有する。この第一取付具１１、第二取付具１２により、使用者の左側頭部に左ビン２を取り付けることができる。
【００１９】
左ビン２の髪材１３は人口毛を数多く集合させた集合体であり、その上縁側を一部折曲して直線状とし、下縁側を大きく凸状に湾曲させて形成されている。図１に示すように、上縁側は前髪３と突き合わされ、下縁側は使用者の耳が隠れるような形状としてある。なお、左ビン２の髪材１３の上縁、下縁の形状は、これのみに限定されない。着用する日本髪の形式、形状に合わせたり、使用者の頭の形態に合わせて適宜変更してもよい。
髪材１３は、一方の基端部にある第一取付具１１を使用者の左側頭部の最前部の生え際に取り付けたとき、前記基端部の反対側である端部にある第二取付部１２が使用者の頂頭部のマゲ５を取り付ける位置に来るように、髪材１３をなびかせる方向の長さに調整する。
【００２０】
左ビン２の髪材１３は、高価な人毛によるものでも良いが、より製造コストを抑えるためにポリエステル系繊維による人口毛などその他の素材を使用してもよい。
この髪材１３の素材は左ビン２のみでなく、右ビン、前髪３、ツト４、マゲ５においても同様である。
【００２１】
図３に示すように、左ビン２は、髪材１３の裏側に緩衝材１４を当て、髪材１３と緩衝材１４とを積層させてある。髪材１３と緩衝材１４とは、積層した状態でステープル針１６によって固定している。ただし、この固定手段のみに限定されず、接着剤や糊付けによる固定であってもよい。
緩衝材１４は、ウレタンによるスポンジ素材が好ましいが、繊維状のネット等であってよい。
この緩衝材１４により着用時に使用者の頭を保護できるのみならず、日本髪に特有のボリューム感のある髪質を保たせることができる。
【００２２】
緩衝材１４の上縁及び下縁は、左ビン２の髪材１３の上縁及び下縁と同じ形状とする。髪材１３の一方の基端部にある第１取付具１１側の緩衝材１４は、前記第一取付具１１の縁と同じ形状とする。一方、第二取付具１２側の緩衝材１４の形状は、第二取付具１２との間に空間１５が形成されるような形状である。なお、緩衝材１４の形状は上記の場合と全く同じである必要はなく、若干小さくしてもよい。
緩衝材１４の形状のうち上縁、下縁と第一取付具１１側の縁とが髪材１３と同一なので、着用時に緩衝材１４を外部から判別することができない。第二取付具１２側との間には空間１５が形成されている。これは、図１に示すように、空間１５に位置する部分はツト４と重なるので、緩衝材１４が配置されると不自然な形態となるためである。
【００２３】
図３に示すように、緩衝材１４はその上縁と下縁に沿うように、かつ、緩衝材１４の基端部とその反対側との中央付近を上縁側から下縁側にかけて線材１７を配置している。線材１７は、可撓性を有する金属製の線材を用いることができるが、必ずしもこれに限定されない。
左ビン２は、使用した状態で外側にかけて大きな張り出しを行うことがあり、線材１７によりその大きな張り出しの形状を維持させる。また、日本髪は使用時により右ビン、左ビン２の張り出しの大きさを変えることがあるが、線材１７は可撓性を有するので、その形状を変えて張り出しの大きさを変えることができる。
【００２４】
第一取付具１１は、突出部材１１ａと当て部１１ｂとからなっている。
本実施例の突出部材１１ａは、第一取付具１１の上端から下端にかけて複数並列させて取り付けられている。図３、図１０に示すように、各々の突出部材１１ａは、金属線を長円状に形成し、その長手方向の先端側を捻り曲げた形状である。この形状は針状のものであってもよいが、使用者の頭髪に差し込んで固定できればよいので安全面を考慮して本実施例の形態とすることが望ましい。
突出部材１１ａの先端と反対側である端部は複数の突出部材１１ａを繋ぐ基部１８である。基部１８と複数の突出部材１１ａとは、突出部材１１ａを櫛歯とする櫛状の形状にある。
【００２５】
第一取付具１１と、髪材１３と、緩衝材１４は少なくとも相互に固定され、一体としてある。
図１０に示すように、髪材１３は、突出部１１ａの基部１８の先端側で、各々の突出部材１１ａの間に通した状態で糊付けして固定する。この固定は縫い合わせ等であってもよい。
図３、図１０に示すように、当て部１１ｂは、厚手のシート状の形状であり、緩衝材１４の表面に取り付けてある。本実施例において当て部１１ｂは、緩衝材１４にステープル針１６により固定しているが、これも接着剤や糊材による固定でもよい。
本実施例は、髪材１３と緩衝材１４、突出部材１１ａと髪材１３、当て部１１ｂと緩衝材１４がそれぞれ固定されるので、相互に固定されて一体となる。
【００２６】
図３、図１０に示すように、当て部１１ｂの幅によって、左ビン２の使用時の日本髪の生え際の反り返し部６の大きさが決定される。つまり、突出部材１１ａ、当て部１１ｂ、髪材１３、緩衝材１４とが相互に固定されて一体となっているので、突出部材１１ａを折り返したときに、髪材１３も折り返されて反り返し部６となる。また、一体として固定されている緩衝材１４と当て部１１ｂも折り返されるので、一定の大きさの反り返し部６が形成され、当て部１１ｂの幅に応じた反り返し部が形成される。
【００２７】
第二取付具１２は、基部１２ａと留片１２ｂとからなり、留片１２ｂと基部１２ａにより髪材１３を挟み込むことができる。使用時には、髪材１３のみでなく、使用者自身の髪も同時に挟み込んで左ビン２を取り付ける。
なお、第二取付具１２側の髪材１３は、シート１９にステープル針１６で固定する。この固定方法はステープル針１６のみに限定されず、接着剤による接着、糊材による糊付け、縫い付けによるものでもよい。
【００２８】
図４に示すように、前髪３には図面上右側の基端部に第一取付具２１があり、図面上左側であって前記基端部と反対側の端部に第二取付具２２があり、その間に髪材２３をなびかせている。
第一取付具２１の形状及び固定、第二取付具２２の形状及び固定は、左ビン２の第一取付具１１、第二取付具１２の場合と同じである。
【００２９】
前髪３の髪材２３の形状は、第一取付具２１側から第二取付具２２側にかけて、同一方向へなびかせてあるが、第二取付具２２の付近から上縁と下縁との中央付近へと髪材２３を集中させた形状である。
シート２６を当ててステープル針２７により固定し、そのうえで、第二取付具２２より左側において紐材２５により結び付けている。
【００３０】
図５に示すように、前髪３の裏面は、髪材２３と同じ形状の緩衝材２４を積層し、ステープル針２７により積層した状態で固定している。
第一取付具２１は、突出部材２１ａと当て部２１ｂとからなる。突出部材２１ａの形状は左ビン２で用いた突出部材１１ａと同様であるが、当て部２１ｂは突出部材２１ａの先端と反対側の端部を延長して一体として形成されている。
図４、５に示すように、髪材１３は複数の当て部２１ｂの間に通して縫い付けて固定し、当て部２１ｂと緩衝材２４とは接着テープ２８で固定する。
かくして、突出部材２１ａ、当て部２１ｂ、髪材１３、緩衝材１４とが相互に固定されるので、突出部材２１ａを折り畳んで使用者に着用すると、前髪３にも反り返しが形成される。
【００３１】
髪材２３、緩衝材２４は、左ビン２の髪材１３、緩衝材１４と同じ材質のものを用いており、これはツト４、マゲ５に関しても同様である。
【００３２】
図６に示すように、使用者の後頭部にあたるツト４は、その表面に髪材３３があり、図面上左側に第二取付具３２がある。図７に示すように、ツト４の裏面は略正方形状の緩衝材３４に髪材３３を積層させたうえで、髪材３３をツト４の表面から裏面にかけて、緩衝材３４の上縁、下縁、右側縁から折り畳んでステープル針３５により固定している。
また、ツト４の裏面の中央付近には、第一取付具３１を第二取付具３２側に向けて配置し、このツト４の裏面に折り畳んだ髪材３３の先端に第一取付具３１があるようにしている。髪材３３を第一取付具３１に固定する手段は、前髪３の第一取付具２１に髪材１３を固定する場合と同じである。第一取付具３１の図面上右側では緩衝材３４に厚紙３７を配置し、接着テープ３８で固定している。この厚紙は形状を固定するために用いるものである。
【００３３】
図７に示すように、ツト４の髪材３３は緩衝材３４の第二取付具３２側へ向けて凸状となるように一部収束させ、その先端付近をシート３６にステープル針３５により固定している。第二取付具３２は、のシート３６付近に配置されている。
【００３４】
図８に示すように、マゲ５は中央が凹んだ半円形状のもので、クッション材４１からなる。中央の凹みから髪材４２を相対方向へ送り出し、その裏面に折り畳んでいる。図９に示すように、マゲ５の裏面に折り畳まれた髪材４２を紐材４３で結んで固定している。
マゲ５の裏面へ折り畳まれた髪材４２に、取付具４４、４４を複数差し込んでいる。取付具４４、４４は、金属線を折り曲げた形状であって、使用者の頭髪と髪材４２との両者にそれぞれ差し込むことにより、マゲ５を固定することができる。
図８、図９はマゲ５として桃割型を例示しているが、文金型など他のマゲの形態であってもよい。
【００３５】
次に、図１に示すように、右ビン、左ビン２、前髪３、ツト４、マゲ５を使用者の頭髪に取り付ける方法を示す。
まず、使用者の左側頭部に左ビン２を取り付け、前頭部に前髪３を取り付ける。
このとき、図１０に示すように、左ビン２の第一取付具１１を当て部１１ｂごとほぼ１８０度、折り畳む。第一取付具１１の当て部１１ｂは緩衝材１４とステープル針１６により固定されているので、第一取付具１１を折り畳むと、当て部１１ｂごと折り畳まれることになり、緩衝材１４とともに折り畳まれるので、髪材２３が大きく反り返るようになり、日本髪の反り返し部６が形成される。
【００３６】
この第一取付具１１を折り畳んだ状態で、使用者の左側頭部の頭髪の前方生え際付近に差し込んで取り付けると、日本髪の反り返し部６を形成することができる。
そして、第二取付具１２によって使用者の頂頭部付近で、使用者の頭髪と髪材１３とを挟み込んで固定する。
前髪３も同じく、第一取付具２１を折り畳んで使用者の前頭部の生え際に差し込んで取り付け、第二取付具２２を使用者の頂頭部付近で、使用者の頭髪と髪材２３とを挟み込んで固定する。
【００３７】
また、第一取付具１１の第二実施例として、図１１に示す場合を挙げることができる。この第二実施例は、第一取付具１１の突出部材１１ａの基部１８を延長して当て部１１ｂとしたものである。このように、突出部材１１ａと当て部１１ｂとを一体として形成してもよい。
この突出部材１１ａと当て部１１ｂとが一体となった第一取付具１１は、緩衝材１４の内部に挿入されて固定され、髪材１３は緩衝材１４の縁に糊付けにより固定される。この場合にあっても、第一取付具１１と髪材１３と緩衝材１４が相互に固定されて一体となる。これにより第一取付具１１を折り畳んだときに、反り返し部６を形成することができる。
【００３８】
次に、使用者の後頭部にツト４を取り付ける。ツト４は日本髪の後頭部にあたるところ、第一取付具３１は裏面の中央付近にあるので、使用者の頭髪が短くても、その後頭部に第一取付具３１を差し込んで取り付けることができる。そして、第二取付具３２を使用者の頂頭部付近で、使用者の頭髪と髪材３３とを挟み込んで固定する。
【００３９】
最後に、マゲ５を使用者の頂頭部に取り付ける。使用者の後頭部には、右ビン、左ビン２、前髪３、ツト４の第二取付具１２、２２、３２が取り付けられているが、これらの第二取付具１２、２２、３２を隠すように、マゲ５を取り付けることで、外観から見えないようにすることができる。
【００４０】
マゲ５を使用者の頂頭部付近に配置し、取付具４４、４４をマゲ５の髪材４３と使用者の頭髪との両者にそれぞれ差し込んで、マゲ５を固定する。
これにより、分割された右ビン、左ビン２、前髪、ツト４、マゲ５を使用者１の頭部の所定位置に取り付けることができ、一体化された１つの日本髪のかつらとすることができる。
【符号の説明】
【００４１】
１…使用者、２…左ビン、３…前髪、４…ツト、５…マゲ、６…反り返し部、１１…第一取付具、１１ａ…突出部材、１１ｂ…当て部、１２…第二取付具、１２ａ…基部、１２ｂ…留片、１３…髪材、１４…緩衝材、１５…空間、１６…ステープル針、１７…線材、１８…基部、１９…シート、２１…第一取付具、２１ａ…突出部材、２１ｂ…当て部、２２…第二取付具、２３…髪材、２４…緩衝材、２５…紐材、２６…シート、２７…ステープル材、２８…接着テープ、３１…第一取付具、３２…第二取付具、３３…髪材、３４…緩衝材、３５…ステープル針、３６…シート、３７…厚紙、３８…接着テープ、４１…クッション材、４２…髪材、４３…紐材、４４…取付具
【図１】
0003166995.tif 000003
【図２】
0003166995.tif 000004
【図３】
0003166995.tif 000005
【図４】
0003166995.tif 000006
【図５】
0003166995.tif 000007
【図６】
0003166995.tif 000008
【図７】
0003166995.tif 000009
【図８】
0003166995.tif 000010
【図９】
0003166995.tif 000011
【図１０】
0003166995.tif 000012
【図１１】
0003166995.tif 000013